(57)【要約】【課題】卓球の試合などで、審判員がサーバーやレシーバーの交替を忘れたり、間違えたりして、トラブルが起きるのを防ぐため、試合開始時におけるシングルスのサーバーと、ダブルスのサーバー及びレシーバーを表示確認させておくことができるカウンターを提供する。【解決手段】卓球審判用カウンター上に試合開始時のシングルスのサーバーを表示するカード３をつけ、ダブルスの試合開始時のサーバー、レシーバーの身体的特徴を６の表示板をつけることで、審判中の間違いなどを防ぐことができる。【選択図】    図２
2004202173.tif 000002
【特許請求の範囲】
【請求項１】
カウンター本体の上部に突き出した縦長のカードをサーバー側に傾けることで、試合中現在のサーバーを表示することができる装置。
【請求項２】
得点板上の丸いカードを切り口を押さえて回すことで、試合中の二人（又は二組）の選手の得点を表示することができる装置。
【請求項３】
カウンター中央に下げたやや縦長のカードを傾けることで、二人（又は二組）の選手のうち、試合開始時におけるサーバーを表示し続けることができる装置。
【請求項４】
ダブルスの試合で試合開始時におけるサーバー、及びレシーバーを二組の選手の身体的特徴をあらわす表示板上の丸いカードを切り口を押さえて回すことにより表示し続けることができる装置。
【発明の詳細な説明】
【０００１】
【発明の属する技術分野】
本発明は、卓球審判用カウンター上に、試合中現在、及び開始時におけるサーバーをカードを傾けることにより表示し、また、ダブルスの試合開始時におけるサーバー及びレシーバーを、それぞれの選手の身体的特徴をカードを回すことにより表示し、確認させておくことで、試合中のサーバー、レシーバーの交替、及びカウントの間違いを防止し、従って試合をスムーズ、かつスピーディーに進行させることができるようにしたものである。
【０００２】
【従来の技術】
従来の卓球用カウンターは、縦長方形の得点カウント・カードと、それよりやや小さめの、セットカウント・カードを前から後ろにめくる方式のものを一緒にしたものはあったが、卓球の試合開始時におけるシングルスのサーバー、及びダブルスの試合開始時におけるサーバーとレシーバを表示しておいてそれらを確認できる卓球用カウンターはなかった。又本発明のような丸いカードの切り口から、カードを回すことによって得点を表示させたり、試合中のサーバーを上部の縦長のカードで表示できるカウンターはなかった。
又、バタフライ・カタログ（株式会社タマス）２００１年ｐ１９，デジタル・カウンター（特許出願中）があり、電動による、得点カウント、セットカウント、時計、ストップウオッチ、タイマー装置があるが、２００３年度では廃番となる。理由は新ルールの３セット以上を表示できない機械のため。又、ＴＳＰカタログ（ヤマト卓球株式会社）１９９６年ｐ１１、デジタルハンディカウンターがある。
【０００３】
【発明が解決しようとする課題】
従来は試合中のサーバーやレシーバーを確認するものがなかったので、審判がサーバー、及びレシーバーの交替を間違ったり、忘れたり、又選手同士が間違って交替してしまった時、誰が正しいサーバーやレシーバーかを証明する手立てがなく、トラブルの原因になった。又、試合の最初のサーバーが誰であったかを確認しておくものがなかったので、審判がカウントを間違えたとき、修正を証明する手立てがなく、トラブルの原因になったりして、試合進行に支障をきたすことが多かった。本発明はこの課題を解消するためになされたものである。
【０００４】
【課題を解決するための手段】
卓球の試合中現在のサーバー側に図２の２を傾けておくことで、審判が正しくサーブ交替を宣告でき、選手も現在のサーバーを確認することができる。
【０００５】
卓球の試合で、サーブ開始者表示カード３を試合開始時にサーバーに決まった選手側に傾けておくことで、試合の途中審判がサーバー、レシーバーの交替を間違えたり、忘れたりした時、「得点の合計が２ポイント増す毎にサービスを交替する」という日本卓球ルールにより、計算で正しいサーバーにたどり着くことができる。
【０００６】
ダブルスの試合で、試合開始時サーバー・レシーバーの身体的特徴６をカード７を回して表示させておくことで、試合の途中で審判がサーバー・レシーバーの交替を間違えたり、忘れたりした場合にいつでも確認できるし、また修正も可能である。サーバー及びレシーバーの身体的特徴としては、背の高低、体格の太細、及び男女とした。
【０００７】
【発明の実施の形態】
以下、本発明の実施の形態を図面に基づいて説明する。
図２において、卓球の試合中サーバーになった方の選手側にカード２を傾けることで、誰がサーバーかを教え、審判も確認もできる。サーブの交替ごとに１０を軸にカード２を左、右に傾ける。
【０００８】
図２において、カウンターの上部左右の得点表示板４の上に切り口をつけた丸いカード５をとりつける。試合中に左右二人（二組）の選手のそれぞれの得点を、丸いカード５を軸１０で回すことで表示させていく。
【０００９】
図２において、サーブ開始者表示カード３をとりつける。試合開始時に決まったサーバーの側にカード３を軸１０で傾けておくことで、試合開始時に誰がサーバーだったかを表示しておく。
【００１０】
図２において、卓球のダブルスの試合開始時に、サーバー・レシーバーの身体的特徴をあらわす表示板６の上に、切り口をつけた丸いカード７をとりつける。この際、ダブルスのときのサーバー・レシーバーの確認方法として、選手の身体的特徴で、背の高低、体格の太細、及び男女を６に表示させておいた。ダブルスの試合開始時に決まったサーバー及びレシーバーの身体的特徴を、その上の切り口のついた丸いカードを軸１０で回すことで、試合開始時に誰がサーバーで誰がレシーバーであったかを表示させておく。
【００１１】
【発明の効果】
本発明は、以上説明したように構成されているので、以下に記載されるような効果を奏する。
【００１２】
図２において、カウンター上部にサーバー２をつけることにより、サーブ交替を間違わずに行うことができるし、選手も確認しながら試合をすることができる。
【００１３】
丸いカード５を回して得点カウント４を表示させることで、よりスピーディー、スムーズにカウントすることができる。又、丸いカード５の切り口の表裏を同時に回すことで、裏側図３により選手側からも得点を確認することができる。
【００１４】
試合開始時のサーバーの側にサーブ開始者カード３を傾けておくことで試合中に審判がサーバーやレシーバーの交替を間違えたり、忘れたりした場合、試合開始時のサーバーから計算で正しいサーバー、レシーバーにたどり着くことができる。
【００１５】
カウンター上に切り口のついた丸いカード７をつけ、それを回し、ダブルス試合開始時のサーバー、レシーバーの身体的な特徴６を表示させておくことで、ダブルスの試合中に審判がサーバー、及びレシーバーの交替を間違えたり、忘れてしまった場合に、試合開始時のサーバーから、計算で現在の正しいサーバーにたどり着くことができる。
【００１６】
又、日本卓球ルールに、試合においてサーブの誤りが発見された場合として「最初に決められたサーバーから競技が再開される」とあり、この点で本発明は試合においても適合性が強い。
【００１７】
ことに、平成になってラージボール卓球の発明以来、近年の高齢者の易しくできる卓球の愛好者増加が、審判上の物忘れ、誤審を多く生じさせ、それが試合中のトラブル、ひいては試合進行の障害を引き起こす原因にもなっている。本発明はそれらを予防する効果が大きい。
【００１８】
又、本発明は軽くて片手で簡単に持てるし、これから卓球を始めようとする初心者も興味をもって手軽に操作することができる。
【図面の簡単な説明】
【図１】本発明の表面図である。
【図２】本発明の表示板の上のカードをはずした表面図である。
【図３】本発明の裏面図である。
【符号の説明】
１  カウンター本体
２  試合中現在のサーバー
３  試合開始時のサーバー
４  試合の得点カウント表示板
５  得点カウント表示板上の被いカード
６  ダブルスの試合開始時のサーバー・レシーバーの身体的特徴表示板
７  ダブルスの試合開始時のサーバー・レシーバー表示の上の被いカード
８  セット・カウント表示板
９  セット・カウント表示板の上の被いカード
１０ハトメ軸
【図１】
2004202173.tif 000003
【図２】
2004202173.tif 000004
【図３】
2004202173.tif 000005